(57)【要約】【課題】例えば母屋への屋根パネルの取付けにおいて、屋根パネルの垂木が母屋に対してどのような方向を向いていようと、その垂木を母屋に安定良くしっかりと取り付けることができる、取付け用金物及び取付け構造を提供する。【解決手段】母屋２の側面部に取り付けられるベース部品６と、軸部７ａの先端側に屋根パネル１の垂木５に係合される鉤部７ｂが設けられた鉤形部品７と、屋根パネル１の垂木５を母屋２側に引き寄せ、垂木５を母屋２に固定する引寄せ固定機構１２，１３とが備えられ、鉤形部品７が、垂木５と母屋２との交差角度に応じて、軸部７ａ回りで回転できるようにベース部品６に保持されている。【選択図】      図１
2006207348.tif 000002
【特許請求の範囲】
【請求項１】
野地板の下面側に垂木が備えられた屋根パネルを母屋に取り付ける取付け金物であって、
母屋の側面部に取り付けられるベース部品と、
軸部がベース部品に軸線方向に移動可能に保持され、軸部の先端側に屋根パネルの垂木に係合される鉤部が設けられた鉤形部品と、
鉤形部品をベース部品を反力部として軸部の軸線方向基端方向に変位させることで、屋根パネルの垂木を母屋側に引き寄せ、垂木を母屋に固定する引寄せ固定機構と
が備えられ、かつ、
前記鉤形部品が、垂木と母屋との交差角度に応じて、軸部回りで回転できるようにベース部品に保持されていることを特徴とする屋根パネル取付け用金物。
【請求項２】
前記引寄せ固定機構が、鉤形部品の軸部の基端側の外周部に設けられた雄ネジ部と、該雄ネジ部と螺合可能な雌ネジ部品とで構成され、鉤形部品の軸部の雄ネジ部に螺合した雌ネジ部品を螺進することにより、雌ネジ部品がベース部品を反力部として鉤形部品を軸部の軸線方向基端方向に変位させるようになされている請求項１に記載の屋根パネル取付け用金物。
【請求項３】
請求項１又は２に記載の金物により屋根パネルの垂木が母屋に取り付けられていることを特徴とする屋根パネルの取付け構造。
【請求項４】
前記母屋がリップ間開口部を側方に向けたリップ付き溝形材からなり、
取付け用金物のベース部品がＵ字状の板曲げ成形品からなり、その折り返し部内に鉤形部品の軸部が通されると共に、両辺の先端部の上下に切欠きが設けられ、該切欠き内に母屋の上下のリップ部が嵌め込まれており、かつ、
ベース部品のいずれか一方又は両方の辺部の内面部に、引寄せ固定機構による垂木引き寄せの際に鉤形部品の軸部がベース部品の両辺部の先端側に移動するのを阻止する突起が設けられている請求項３に記載の屋根パネルの取付け構造。
【請求項５】
第１部材の側面部に取り付けられるベース部品と、
軸部がベース部品に軸線方向に移動可能に保持され、軸部の先端側に第２部材に係合される鉤部が設けられた鉤形部品と、
鉤形部品をベース部を反力部として軸部の軸線方向基端方向に変位させることで、第２部材を第１部材の側に引き寄せ、第２部材を第１部材に固定する引寄せ固定機構と
が備えられ、かつ、
前記鉤形部品が、第１部材と第２部材の向く方向に応じて、軸部回りで回転できるようにベース部品に保持されていることを特徴とする部材取付け用金物。
【発明の詳細な説明】
【技術分野】
【０００１】
本発明は、屋根パネル等の取付け用金物及びそれを用いた屋根パネル等の取付け構造に関する。
【背景技術】
【０００２】
図５に示すように、例えば、野地板５２の下面側に垂木５３が備えられた屋根パネル５１をリップ付き溝形鋼からなる母屋５４に取り付けるような場合、同図（イ）に示すように、垂木５３の側面部にＬ形の引掛け金物５５を回動可能に枢着５６して備えさせた屋根パネル５１を用い、該屋根パネル５１の垂木５３を母屋５４の上に設置し、引掛け金物５５をハンマー５７で叩いて、鉤部５５ａを、同図（ロ）に示すように、母屋５４の上リップ部５４ａの先端側に強制的に嵌め込み、しかる後、同図（ハ）に示すように、引掛け金物５５を回転阻止状態となるように固定５８するというようにして行われている。
【発明の開示】
【発明が解決しようとする課題】
【０００３】
ところで、屋根パネル５１に備えられる垂木５３は、母屋５４に対して直交する場合が多いものの、寄せ棟屋根などである場合にはその出隅部等において、屋根パネルの垂木が母屋に対して直交することなく交差する場合もあり、そのようなところでは、上記のような回転式の引掛け金物５５を使うのが困難であるという問題があった。
【０００４】
本発明は、上記のような問題点に鑑み、例えば、母屋への屋根パネルの取付けにおいて、屋根パネルの垂木が母屋に対してどのような方向を向いていようと、その垂木を母屋に安定良くしっかりと取り付けることができる、取付け用金物及び取付け構造を提供することを課題とする。
【課題を解決するための手段】
【０００５】
上記の課題は、野地板の下面側に垂木が備えられた屋根パネルを母屋に取り付ける取付け金物であって、
母屋の側面部に取り付けられるベース部品と、
軸部がベース部品に軸線方向に移動可能に保持され、軸部の先端側に屋根パネルの垂木に係合される鉤部が設けられた鉤形部品と、
鉤形部品をベース部品を反力部として軸部の軸線方向基端方向に変位させることで、屋根パネルの垂木を母屋側に引き寄せ、垂木を母屋に固定する引寄せ固定機構と
が備えられ、かつ、
前記鉤形部品が、垂木と母屋との交差角度に応じて、軸部回りで回転できるようにベース部品に保持されていることを特徴とする屋根パネル取付け用金物によって解決され、また、同金物により屋根パネルの垂木が母屋に取り付けられた屋根パネルの取付け構造によって解決される。
【０００６】
上記の取付け用金物、取付け構造によれば、金物において、鉤形部品が、垂木と母屋との交差角度に応じて、軸部回りで回転できるようにベース部品に保持されているので、屋根パネルの垂木が母屋に対してどのような方向を向いていようと、鉤形部品の鉤部を、垂木と直交する方向に向けて係合させることができ、その垂木を母屋に安定良くしっかりと取り付けることができる。
【０００７】
上記の取付け用金物、取付け構造において、金物の引寄せ固定機構が、鉤形部品の軸部の基端側の外周部に設けられた雄ネジ部と、該雄ネジ部と螺合可能な雌ネジ部品とで構成され、鉤形部品の軸部の雄ネジ部に螺合した雌ネジ部品を螺進することにより、雌ネジ部品がベース部品を反力部として鉤形部品を軸部の軸線方向基端方向に変位させるようになされているのもよい。
【０００８】
この場合は、雌ネジ部品の回転によって、屋根パネルの垂木を母屋側に引き寄せ、垂木を母屋に固定することができるので、ハンマーで叩いて嵌合するような場合に比べて、取付け状態を品質良好なものにすることができる。
【０００９】
また、上記の取付け構造において、母屋がリップ間開口部を側方に向けたリップ付き溝形材からなり、
取付け用金物のベース部品がＵ字状の板曲げ成形品からなり、その折り返し部内に鉤形部品の軸部が通されると共に、両辺の先端部の上下に切欠きが設けられ、該切欠き内に母屋の上下のリップ部が嵌め込まれており、かつ、
ベース部品のいずれか一方又は両方の辺部の内面部に、引寄せ固定機構による垂木引き寄せの際に鉤形部品の軸部がベース部品の両辺部の先端側に移動するのを阻止する突起が設けられているのもよい。
【００１０】
この場合は、ベース部品の両辺の先端部の上下に備えられた切欠きに母屋の上下のリップ部を嵌め込むだけでベース部品を母屋側に取付け状態にすることができて、母屋側へのベース部品の取付けを容易に行うことができる。
【００１１】
しかも、ベース部品は、Ｕ字状の板曲げ成形品からなって、切欠きは、ベース部品の両辺の先端部の上下に備えられているので、ベース部品を力学的に安定良く母屋に取り付けることができる。
【００１２】
加えて、ベース部品をＵ字状の板曲げ成形品とし、その折り返し部内に鉤形部品の軸部が通され、ベース部品のいずれか一方又は両方の辺部の内面部に、引寄せ固定機構による垂木引き寄せの際に鉤形部品の軸部がベース部品の両辺部の先端側に移動するのを阻止する突起が設けられているので、ベース部品の折り返し部に鉤形部品の軸部を通しただけの簡素な構造の金物でありながら、突起の作用によってベース部品と鉤形部品の位置関係を適正に保つことができて、屋根パネルの垂木を母屋に安定良くしっかりと取り付けることができる。
【００１３】
また、本発明は、第１部材の側面部に取り付けられるベース部品と、
軸部がベース部品に軸線方向に移動可能に保持され、軸部の先端側に第２部材に係合される鉤部が設けられた鉤形部品と、
鉤形部品をベース部を反力部として軸部の軸線方向基端方向に変位させることで、第２部材を第１部材の側に引き寄せ、第２部材を第１部材に固定する引寄せ固定機構と
が備えられ、かつ、
前記鉤形部品が、第１部材と第２部材の向く方向に応じて、軸部回りで回転できるようにベース部品に保持されていることを特徴とする部材取付け用金物、及び、同金物を用いた取付け構造を内容として含む。
【００１４】
即ち、本発明の金物は、屋根パネルの垂木を母屋に取り付ける場合に限らず、種々の部材同士の取付けに広く用いることができるものである。
【発明の効果】
【００１５】
本発明は、以上のとおりのものであるから、例えば、母屋への屋根パネルの取付けにおいて、屋根パネルの垂木が母屋に対してどのような方向を向いていようと、その垂木を母屋に安定良くしっかりと取り付けることができる。
【発明を実施するための最良の形態】
【００１６】
次に、本発明の実施最良形態を図面に基づいて説明する。
【００１７】
図１〜図４に示す実施形態において、１は屋根パネル、２は母屋、３は取付け用金物であり、屋根パネル１において、４は野地板、５は垂木である。母屋２は、図１に示すように、リップ間開口部を側方に向けた鋼製のリップ付き溝形材からなり、垂木５は木からなっている。
【００１８】
取付け用金物３は、母屋２の側面部に取り付けられるベース部品６と、鉤形部品７と、引寄せ固定機構とを備える。鉤形部品７は、軸部７ａの先端側に鉤部７ｂを備えた棒状加工品からなっていて、鉤部７ｂは垂木５に設けられた孔８に差し込むことができるようになされている。
【００１９】
ベース部品６は、図３及び図４に示すように、金属からなるＵ字状の板曲げ成形品からなっていて、折り返し部６ａを挟む両辺６ｂ，６ｂの先端部の上下に切欠き９，９，１０，１０が設けられ、該切欠き９，９，１０，１０内に母屋２の上下のリップ部２ａ，２ａを嵌め込むことができるようになされている。
【００２０】
そして、鉤形部品７は、その軸部７ａがベース部品６の折り返し部６ａ内に軸線方向に移動可能で、かつ、図３（ロ）に示すように、垂木５と母屋２との交差角度に応じて軸部７ａの回りで回転できるように貫通状態に通されると共に、ベース部品６の両方の辺部６ｂ，６ｂの内面部には突起１１，１１が設けられ、鉤形部品７の軸部７ａがベース部品６の折り返し部６ａの側から両辺部６ｂ，６ｂの先端側に移動するのを突起１１，１１が阻止するようになされている。なお、突起１１は両辺部６ｂ，６ｂのいずれか一方に設けられていてもよい。
【００２１】
引寄せ固定機構は、屋根パネル１の垂木５を母屋２側に引き寄せ、垂木５を母屋２に固定するもので、鉤形部品７の軸部７ａの基端側の外周部に設けられた雄ネジ部１２と、該雄ネジ部１２に螺合された雌ネジ部品としてのナット１３とで構成され、ナット１３を鉤形部品７の軸部７ａの先端側に螺進することにより、ナット１３がベース部品６を反力部として鉤形部品７を軸部７ａの軸線方向基端方向に変位させていくことかできるようになされている。
【００２２】
屋根パネル１の取付けは、屋根パネル１を垂木５が母屋２の上に載るように設置すると共に、それと相前後して、取付け用金物３を母屋２に取り付ける。母屋２への取付け用金物３の取付けは、母屋２の端部においてそのリップ部２ａ，２ａをベース部品６の切欠き９，９，１０，１０に嵌め込んだ状態にして母屋２の長さ方向にスライドさせて所定の位置に設置するというようにして行われてもよいし、取付け用金物３を取り付ける位置において、取付け用金物３のベース部品６を横向きにし、回転させて、切欠き９，９，１０，１０に母屋２のリップ部２ａ，２ａを嵌め込むというようにして行われてもよい。
【００２３】
次いで、図１及び図２（イ）に示すように、取付け用金物３の鉤形部品７の鉤部７ｂを垂木５の孔８に差し込んで垂木５と直交状態にし、ナット１３を螺進させていく。すると、ナット１３がベース部品６を反力部として鉤形部品７の軸部７ａが基端方向に変位していき、垂木５は、母屋２側に引き寄せられて、母屋２に固定状態に取り付けられる。
【００２４】
ベース部品６はＵ字状の板曲げ成形品からなっていてその折り返し部６ａ内に鉤形部品７の軸部７ａが通されているが、ベース部品６の両辺部の内面部には突起１１，１１が設けられているので、ベース部品６の折り返し部６ａに鉤形部品７の軸部７ａを通しただけの簡素な構造の金物でありながら、ナット１３を螺進させ、締め込んでいっても、突起１１，１１の作用によってベース部品６と鉤形部品７の位置関係に狂いを生じてしまうことがなく、垂木５は母屋２に対して安定良くしっかりと取り付けられる。
【００２５】
そして、図２（ロ）に示すように、屋根パネルの垂木５が母屋２に対して直交することなく交差するような場合には、取付け用金物３の鉤形部品の軸部７ａを回転させ、鉤部７ｂを垂木５に差し込んで垂木５と直交する方向に向けた状態にし、ナット１３の螺進操作を行っていけばよく、それにより、垂木５は母屋２に対して安定良くしっかりと取り付けられる。なお、垂木５が母屋２に対して直交せずに交差している場合には、垂木５に設ける孔は、鉤形部品７の鉤部７ｂを垂木５に差し込んで垂木５と直交する方向を向くことができるような形態の孔に形成されていればよい。
【００２６】
このように、上記の取付け用金物３を用いることにより、屋根パネル１の垂木５が母屋２に対してどのような方向を向いていようと、鉤形部品７の鉤部７ｂを、垂木５と直交する方向に向けて垂木５に係合させることができて、垂木５を母屋２に対して安定良くしっかりと取り付けることができる。
【００２７】
また、上記の実施形態では、ナット１３を回転する操作を行うことで、垂木５を母屋２側に引き寄せて固定するようになされているので、従来のようにハンマーで叩いて嵌合するような場合に比べて取付け状態を品質良好なものにすることができると共に、垂木５と母屋２とを適正な締め合わせ状態にすることができる。
【００２８】
更に、取付け用金物３のベース部品６は、Ｕ字状の板曲げ成形品からなっていて、その両辺６ｂ，６ｂの先端部の上下に備えられた切欠き９，９，１０，１０に母屋２の上下のリップ部２ａ，２ａを嵌め込むだけで、母屋２側に取付け状態にすることができるようになされて、母屋２側への取付け用金物３の取付けを容易に行うことができ、しかも、Ｕ字状の板曲げ成形品からなるベース部品の両辺の先端部の上下に切欠き９，９，１０，１０が備えられているので、ベース部品６を力学的に安定良く母屋２に取り付けることができる。
【００２９】
以上に、本発明の実施形態を示したが、本発明はこれに限られるものではなく、発明思想を逸脱しない範囲で各種の変更が可能である。例えば、上記の実施形態では、母屋２がリップ間開口部を側方に向けたリップ付き溝形材からなる場合を示したが、母屋は各種形態をしていてよく、それに応じて、取付け用金物のベース部品を母屋に取り付けるための形態も種々のものが用いられてよい。また、上記実施形態では、ナット１３を用いた引寄せ固定機構を採用した場合を示しているが、レバーの回動によって引寄せる式のものであってもよいし、その他の機構によるものであってもよい。また、垂木５に対する鉤部７ｂの係合状態も各種態様のものであってよい。更に、上記の実施形態では、取付け用金物を屋根パネル取付け用として用いた場合を示したが、その他の部材同士を取り付ける取付け用金物として構成されてもよい。
【図面の簡単な説明】
【００３０】
【図１】実施形態の取付け用金物と取付け構造を示す断面正面図である。
【図２】図（イ）は垂木が母屋と直交して交差する場合の取付け状態を示す平面図、図（ロ）は垂木が母屋と直交せずに交差する場合の取付け状態を示す平面図である。
【図３】図（イ）は取付け用金物の側面図、図（ロ）は同平面図である。
【図４】図（イ）は取付け用金物の分解側面図、図（ロ）はベース部品の斜視図である。
【図５】関連技術を示すもので、図（イ）〜図（ハ）は屋根パネルを母屋に取り付ける方法ほ順次に示す断面正面図である。
【符号の説明】
【００３１】
１…屋根パネル
２…母屋
２ａ…リップ部
３…取付け用金物
５…垂木
６…ベース部品
６ａ…折り返し部
６ｂ…辺部
７…鉤形部品
７ａ…軸部
７ｂ…鉤部
９，１０…切欠き
１１…突起
１２…雄ネジ部（引寄せ固定機構）
１３…ナット（雌ネジ部品、引寄せ固定機構）
【図１】
2006207348.tif 000003
【図２】
2006207348.tif 000004
【図３】
2006207348.tif 000005
【図４】
2006207348.tif 000006
【図５】
2006207348.tif 000007